(57)【要約】【課題】ケース本体と蓋体とを備え、ケース本体内部への毛細管現象による雨水の侵入を防止することが可能な電気基板収納用ケースを提供する。【解決手段】前面が開放され、内部に電気基板を収納する容器状のケース本体２と、ケース本体の前面を覆う蓋体３と、を備え、ケース本体の上壁部１０は、左右方向の少なくとも一方向に傾斜し、後方向に低くなる階段状に形成された上面を有し、蓋体は、階段状に形成された前記上面に対し、第１の段差面１０ｂとの間に排水流路である空間５１を有し、第１の段差面より下の第２の段差面１０ｄに接触又は近接している防水壁部９を備える。【選択図】図５
2018110183.tif 000002
【特許請求の範囲】
【請求項１】
前面が開放され、内部に電気基板を収納する容器状のケース本体と、
前記ケース本体の前面を覆う蓋体と、を備え、
前記ケース本体の上壁部は、左右方向において少なくとも一方向に傾斜し、前後方向において後方向に低くなる階段状に形成された上面を有し、
前記蓋体は、階段状に形成された前記上面に対し、第１の段差面との間に排水流路である空間を有し、前記第１の段差面より下の第２の段差面に接触又は近接している防水壁部を備える、電気基板収納用ケース。
【請求項２】
前記蓋体は、前記ケース本体の前面を覆う板状の本体部と、前記本体部の上部に設けられた前記防水壁部とを備え、前記防水壁部は、前記本体部の上部の前記第１の段差面の上端より高い位置から後方向に延び、下面が前記ケース本体の上面に対応して左右方向において少なくとも一方向に傾斜する延出壁部と、前記延出壁部の先端部から下方に延び、前面が前記第２の段差面に接触又は近接している垂下壁部と、を備える、請求項１に記載の電気基板収納用ケース。
【請求項３】
前記ケース本体は、前記空間の下端近傍の前記第２の段差面に当該第２の段差面の上端から下方に延びるように形成された排水用の凹部を備える、請求項１又は２に記載の電気基板収納用ケース。
【請求項４】
前記蓋体の前記延出壁部が前記ケース本体の階段状に形成された前記上面の上端面に当接し、前記蓋体の前記垂下壁部の下端の位置が前記第２の段差面の下端の位置より高い、請求項２又は３に記載の電気基板収納用ケース。
【請求項５】
前記蓋体を前記ケース本体に相対的に下方にスライドさせることによって前記蓋体が前記ケース本体に嵌合する嵌合構造を、さらに備える、請求項１乃至４のいずれかに記載の電気基板収納用ケース。
【発明の詳細な説明】
【技術分野】
【０００１】
本発明は、電気基板収納用ケースに関し、特に防水構造を有するものに関する。
【背景技術】
【０００２】
従来、電気部品を収納するケースであって、防水構造を有するケースが知られている。そのようなケースとして、自動給水装置のケース１４が知られている（例えば、特許文献１参照）。この自動給水装置では、ケース１４の凹部に前面が開放された電池ボックス４８が設けられ、電池ボックス４８の周囲に防水溝５４が形成されている。そして、蓋部５６を凹部に装着することによって、電池ボックス４８及び防水溝５４の前面が覆われる。この構造によれば、防水溝５４により、電池ボックス４８への水の侵入が防止される。
【先行技術文献】
【特許文献】
【０００３】
【特許文献１】特開平１０−３１１０７０号公報
【発明の概要】
【発明が解決しようとする課題】
【０００４】
しかし、上記従来のケース１４では、防水溝５４を流れる水の電池ボックス４８への侵入を防止することが可能であるが、蓋部５６と電池ボックス４８の前端面との間を毛細管現象により水が移動して電池ボックス４８の内部に侵入する可能性がある。この問題は、ケース本体部と蓋部とを備える電気基板収納用ケースに共通する問題である。
【０００５】
本発明は、このような課題を解決するためになされたものでケース本体と蓋体とを備え、ケース本体内部への毛細管現象による雨水の侵入を防止することが可能な電気基板収納用ケースを提供することを目的とする。
【課題を解決するための手段】
【０００６】
上記課題を解決するために、本発明のある態様(aspect)に係る電気基板収納用ケースは、前面が開放され、内部に電気基板を収納する容器状のケース本体と、前記ケース本体の前面を覆う蓋体と、を備え、前記ケース本体の上壁部は、左右方向において少なくとも一方向に傾斜し、前後方向において後方向に低くなる階段状に形成された上面を有し、前記蓋体は、階段状に形成された前記上面に対し、第１の段差面との間に排水流路である空間を有し、前記第１の段差面より下の第２の段差面に接触又は近接している防水壁部を備える。
【０００７】
この構成によれば、ケース本体の上壁部の上面の第２の段差面と蓋体の防水壁部とが接触又は近接しているので、第２の段差面と防水壁部との間から雨水が毛細管現象により電気基板収納用ケースの内側に侵入する可能性がある。しかし、そのように侵入した雨水は、第１の段差面と防水壁部の間の排水流路である空間に滲出し、当該空間の底面である第１の段差面と第２の段差面との間のステップ面（踏面）の傾斜に従ってケース本体の側方（左右方向の少なくとも一方向）に流れ落ちる。かくして、ケース本体の内部への毛細管現象による雨水の侵入を防止することができる。
【０００８】
前記蓋体は、前記ケース本体の前面を覆う板状の本体部と、前記本体部の上部に設けられた前記防水壁部とを備え、前記防水壁部は、前記本体部の上部の前記第１の段差面の上端より高い位置から後方向に延び、下面が前記ケース本体の上面に対応して左右方向において少なくとも一方向に傾斜する延出壁部と、前記延出壁部の先端部から下方に延び、前面が前記第２の段差面に接触又は近接している垂下壁部と、を備えてもよい。
【０００９】
この構成によれば、ケース本体の上壁部の階段状に形成された上面に対し、第１の段差面との間に排水流路である空間を有し、且つ、第２の段差面に接触又は近接する防水壁部を好適に構成できる。
【００１０】
前記ケース本体は、前記空間の下端近傍の前記第２の段差面に当該第２の段差面の上端から下方に延びるように形成された排水用の凹部を備えてもよい。
【００１１】
この構成によれば、排水流路である空間を流れ落ちた水を電気基板収納用ケースの外部に排出することができる。
【００１２】
前記蓋体の前記延出壁部が前記ケース本体の階段状に形成された前記上面の上端面に当接し、前記蓋体の前記垂下壁部の下端の位置が前記第２の段差面の下端の位置より高くてもよい。
【００１３】
この構成によれば、蓋体の垂下壁部の下端の位置が第２の段差面の下端の位置より高いので、垂下壁部の下端が第２の段差面に続くステップ面と当接しない。このため、蓋体の延出壁部がケース本体の階段状に形成された上面の上端面に確実に当接する。しかも、電気基板収納用ケースにおいて、当該当接部分より外側に排水流路である空間が位置するので、ケース本体の内部への雨水の侵入を好適に防止することができる。
【００１４】
前記電気基板収納用ケースは、前記蓋体を前記ケース本体に相対的に下方にスライドさせることによって前記蓋体が前記ケース本体に嵌合する嵌合構造を、さらに備えてもよい。
【００１５】
この構成によれば以下の作用効果を奏する。すなわち、先端が下方に垂下する防水壁部が蓋体の上部に設けられているので、蓋体を前方からケース本体に嵌合させようとしても、防水壁部の先端部がケース本体の上部に当たって両者を嵌合させることができない。しかし、この構成によれば、嵌合構造のおかげで、蓋体をケース本体に相対的に下方にスライドさせることによって蓋体をケース本体に嵌合することができる。また、蓋体をケース本体に嵌合させるためにビス（ネジ）を使用しないので外観面にビスが露出しない。その結果、デザイン性が向上する。
【発明の効果】
【００１６】
本発明は、ケース本体と蓋体とを備える電気基板収納用ケースにおいて、ケース本体の内部への毛細管現象による雨水の侵入を防止することができるという効果を奏する。
【図面の簡単な説明】
【００１７】
【図１Ａ】図１Ａは、本発明の実施形態に係る電気基板収納用ケースの構成を示す斜視図である。
【図１Ｂ】図１Ｂは、図１Ａの電気基板収納用ケースの正面図及び左側面図である。
【図１Ｃ】図１Ｃは、図１Ａの電気基板収納用ケースの背面図である。
【図２Ａ】図２Ａは、図１Ａの電気基板収納用ケースのケース本体の正面図である。
【図２Ｂ】図２Ｂは、図１Ａの電気基板収納用ケースのケース本体の背面図である。
【図３】図３は、図１Ａの電気基板収納用ケースにおいて、蓋体をケース本体に相対的に下方にスライドさせようとしている状態を示す正面図である。
【図４】図４は、図１Ａの電気基板収納用ケースの詳細な構成を示す背面図及び縦断面図である。
【図５】図５は、図４のＢ部を拡大して示す部分縦断面である。
【図６】図６は、図１Ａの電気基板収納用ケースの排水流路を示す部分斜視図である。
【図７】図７は、図１Ａの電気基板収納用ケースの排水凹部を示す部分斜視図である。
【発明を実施するための形態】
【００１８】
以下、本発明の実施形態について、添付図面を参照しつつ説明する。なお、以下では、全ての図を通じて、同一又は相当する要素には同一の参照符号を付して、その重複する説明を省略する。また、以下の図は本発明を理解しやすくするために、以下のようにアレンジされている。以下の図では、本発明に関係しない要素が省略される場合がある。また、以下の図は、理解を容易にするために誇張されている場合があり、対象物の寸法比率が必ずしも正確ではない。また、各図が、厳密に互いに一致しない場合がある。
【００１９】
また、以下では、便宜上、電気基板収納用ケースの正面から背面に向かう方向を前方向といい、前方向の反対方向を後方向といい、電気基板収納用ケースを背面から見た場合の左側方向及右側方向を、それぞれ、左方向及び右方向といい、電気基板収納用ケースの上側方向及下側方向を、それぞれ、上方向及び下方向という。
【００２０】
（実施形態）
［構成］
図１Ａ乃至図１Ｃを参照すると、本発明の実施形態に係る電気基板収納用ケース１は、ケース本体２と蓋体３とを含む。
【００２１】
図２Ａを参照すると、ケース本体２は、前面（正面）が開放された容器状に形成されている。ケース本体２は、プラスティック樹脂、金属等の公知の材料で構成される。ケース本体２の形状は任意であり、例えば、正面から見て、短円柱状、短多角柱状であってもよい。ここでは、ケース本体２は、直方体状に形成される。ケース本体２には、電気基板４１が収納されている。電気基板４１は、例えば、ビス４２（図４参照）によってケース本体２に取り付けられる。
【００２２】
図１Ａ乃至図１Ｃを参照すると、蓋体３は、概ね、後面（背面）と下面が開放された浅い箱状に形成されている。蓋体３は、プラスティック樹脂、金属等の公知の材料で構成される。蓋体３の形状はケース本体２の形状に対応する形状に形成される。具体的には、蓋体３は、ケース本体２の前面を覆う板状の本体部３ａと、本体部３ａの上部に本体部３ａの全幅に渡って設けられた防水壁部９とを備える。ここでは、本体部３ａの上端に後方に延びる上壁部３ｃが設けられ、上壁部３ｃの下方に防水壁部９が設けられている。なお、上壁部３ｃを省略し、防水壁部９が本体部３ａの上壁部を構成してもよい。また、蓋体３は、さらに、本体部３ａの左右の端部からそれぞれ後方に延びる一対の側壁部３ｂを有する。
【００２３】
以下、電気基板収納用ケース１の構成を、「水侵入防止構造（防水構造）」と「嵌合構造」とに分けて、順に説明する。「水侵入防止構造」は電気基板収納用ケース１のケース本体内部への水の進入を防止する構造であり、「嵌合構造」は、蓋体３がケース本体の前面を覆うように、ケース本体２に蓋体３を嵌合させて固定する構造である。
【００２４】
＜水侵入防止構造（防水構造）＞
図２Ｂ及び図５を参照すると、ケース本体２の上壁部１０は、左右方向の少なくとも一方向に傾斜し、後方向に低くなる階段状に形成された上面を有している。ここで、「左右方向の少なくとも一方向」とは、「左方向」又は「右方向」、並びに「左方向及び右方向」を意味する。「ある方向に傾斜する」とは、「ある方向に向かって低くなるように傾いている」ことを意味する。ここでは、上壁部１０の上面は、中央部を頂点として左方向及び右方向に傾斜する。しかし、上壁部１０の上面が、右端を頂点として左方向のみに傾斜してもよく、左端を頂点として右方向のみに傾斜してもよい。
【００２５】
階段状に形成された上壁部１０の上面は、１以上の段を有すればよい。ここでは、上壁部１０の上面は２段に形成されている。上壁部１０の上面は、上壁部１０の上端面１０ａと、上端面１０ａの後端から垂下する第１の段差面１０ｂと、第１の段差面１０ｂの下端から後方に延びる第１のステップ面１０ｃと、第１のステップ面１０ｃの後端から垂下する第２の段差面１０ｄと、第２の段差面の下端から後方に延びる第２のステップ面１０ｅとを含む。
【００２６】
一方、蓋体３の防水壁部９は、ケース本体２の上壁部１０の階段状に形成された上面に対し、第１の段差面１０ｂとの間に排水流路である空間（以下、単に排水流路という）５１を有し、且つ、第１の段差面１０ｂより下の第２の段差面１０ｄに接触又は近接している。具体的には、防水壁部９は、蓋体３の本体部３ａの上部における、ケース本体２の第１の段差面１０ｂの上端（上壁部の上端面１０ａ）より高い位置から後方に延び、下面がケース本体２の上面に対応して左右方向の少なくとも一方向（ここでは、左方向及び右方向）に傾斜する延出壁部９ａと、延出壁部９ａの先端部から下方に延び、前面がケース本体２の第２の段差面１０ｄに接触又は近接している垂下壁部９ｂとを含む。この構成により、ケース本体２の上壁部１０の階段状に形成された上面に対し、第１の段差面１０ｂと垂下壁部９ｂの間に排水流路５１を有し、且つ、垂下壁部９ｂが第２の段差面１０ｄに接触又は近接する防水壁部９が構成される。なお、蓋体３の防水壁部９の延出壁部９ａの下面及びケース本体の上壁部１０の第１のステップ面１０ｃが、それぞれ、排水流路５１の上壁面及び底壁面を構成し、第１の段差面１０ｂ及び垂下壁部９ｂの前面が、排水流路５１の後壁面及び前壁面を構成する。
【００２７】
図４は、図１Ａの電気基板収納用ケース１の詳細な構成を示す背面図及び縦断面図である。縦断面図は、背面図のＡ−Ａ切断面の断面を示す。
【００２８】
図２、図４及び図５を参照すると、蓋体３の延出壁部９ａがケース本体２の階段状に形成された上面の上端面１０ａに当接している。また、垂下壁部９ｂの下端は、ケース本体２の上面の傾斜に対応して傾斜し、第２のステップ面１０ｅとの間に隙間を有する。すなわち、蓋体３の垂下壁部９ｂの下端の位置が第２の段差面１０ｄの下端の位置より高い。
【００２９】
この構成により、垂下壁部９ｂの下端が第２のステップ面１０ｅと当接しないため、蓋体３の延出壁部９ａがケース本体２の階段状に形成された上面の上端面１０ａに確実に当接する。しかも、電気基板収納用ケース１において、当該当接部分より外側に排水流路５１が位置するので、ケース本体２の内部への雨水の侵入を好適に防止することができる。
【００３０】
図６は、図１Ａの電気基板収納用ケース１の排水流路５１を示す部分斜視図である。図７は、図１Ａの電気基板収納用ケース１の排水凹部６１を示す部分斜視図である。図６及び図７では、排水流路５１を判りやすくするために、蓋体３が透明に描かれている。
【００３１】
図６及び図７を参照すると、ケース本体２の上壁部１０の上面の第２の段差面１０ｄの両側端部には上壁部１０の上端まで延びる凸部６０が形成されている。図４を参照すると、蓋体３の垂下壁部９ｂは左右方向の両側に位置する一対の凸部６０の間に位置している。図６及び図７を参照すると、排水流路５１の下端近傍の第２の段差面１０ｄに当該第２の段差面１０ｄの上端から下方に延びるように排水凹部６１が形成されている。ここでは、排水凹部６１は、排水流路５１の直近に第２の段差面１０ｄの上端から下端に延びるように形成されている。なお、排水凹部６１の位置は、排水流路５１の下端近傍であれば、排水流路５１の途中でもよく、排水流路５１から少し離れていてもよい。また、排水凹部６１は、第２の段差面１０ｄの途中までしか延びていなくてもよい。この構成によれば、排水流路５１を流れ落ちた水を電気基板収納用ケース１の外部（ここでは第２のステップ面１０ｅ）に排出することができる。
【００３２】
＜嵌合構造＞
嵌合構造８は、以下に説明するように、蓋体３の係合部５とケース本体２の第１及び第２の案内部１１、１２とによって構成される。
【００３３】
図２Ａを参照すると、ケース本体２の周壁の前面は平坦に形成されていて、蓋体３の本体部３ａの背面（後面）を受けるようになっている。また、これにより、蓋体３をケース本体２に相対的に上下方向にスライドさせることが可能になっている。
【００３４】
図１Ａ乃至図１Ｃを参照すると、蓋体３の左右の側壁部３ｂの下部に係合部５が設けられている。側面視において、側壁部３ｂは、中央部から係合部５に向かうに従って後方に突出するように形成されている。そして、係合部５は、側壁部３ｂの下部から蓋体３の内方に突出するように形成されている。係合部５は、板状に形成され、蓋体３の本体部３ａの主面に平行に形成されている。また、係合部５の先端面には微小な半球状の突起５ａが形成されている。
【００３５】
一方、図２Ａを参照すると、ケース本体２の左右の側面の下端部には第１の案内部１１と第２の案内部１２とが形成されている。図１Ｃを参照すると、第１の案内部１１及び第２の案内部１２は、蓋体３がケース本体２に嵌合した状態において、蓋体３の係合部５に対応する位置に形成されている。図２Ａを参照すると、第１の案内部１１は、ケース本体２の側面から外方に突出するように形成されている。第１の案内部１１の下面は、ケース本体２の底壁の外面（図４参照）に平行に形成されていて、蓋体３の係合部５の前面と相対的にスライドして、これを案内する。
【００３６】
図２Ｂを参照すると、第２の案内部１２は、ケース本体２の側面の第１の案内部１１より後方の位置から外方に突出するように形成された２つの互いに離れた突起で構成されている。図１Ｃ及び図２Ｂを参照すると、２つの突起は、それぞれ、角が丸まった台形状に形成されている。２つの突起の先端面は、ケース本体２の側面に平行に形成されていて、蓋体３の係合部５の先端面と相対的にスライドして、これを案内する。そして、蓋体３がケース本体２に嵌合した状態において、蓋体３の係合部５の突起５ａがケース本体２の第２の案内部１２の上側の突起の下端と係合して、蓋体３をケース本体２に係止する。この係止により、蓋体３がケース本体２に固定される。
【００３７】
図２Ａ及び図２Ｂを参照すると、ケース本体２の側面の第１の案内部１１の上方位置に、外方に突出するストッパ４が形成されている。このストッパ４と第１の案内部１１との間に挿入空間６が形成されている。挿入空間６の上下方向の幅は、蓋体３の係合部５が挿入可能な幅に設計されている。ストッパ４は、蓋体３の上方へのスライドを制限する。
【００３８】
また、図１Ａ乃至図１Ｃを参照すると、蓋体３の側面の中央部には表面を粗面化した操作部７が形成されている。これにより、ユーザが片手で操作部７を把持して蓋体３を上下に移動させることができる。
【００３９】
以上の構成により、ユーザが以下のようにして、蓋体３をケース本体２に嵌合させて固定する（取り付ける）ことができる。図３に示すように、ユーザが操作部７を手で把持して、蓋体３をケース本体２より上方に位置させる。次いで、蓋体３の係合部５をケース本体２の挿入空間６に挿入して蓋体３をケース本体２に押し当てる。次いで、蓋体３を下方に押すと、蓋体３の係合部５が第１の案内部１１及び第２の案内部１２に案内されてスライドし、図１Ｃに示すように、蓋体３の係合部５が第１の案内部１１及び第２の案内部１２に嵌合する。そして、蓋体３の係合部５の突起５ａがケース本体２の第２の案内部１２の上側の突起の下端と係合して、蓋体３をケース本体２に係止する。また、図５に示すように、蓋体３の防水壁部９の延出壁部９ａの下面がケース本体２の上壁部１０の上端面１０ａに当接する。かくして、蓋体３がケース本体２に嵌合して固定される。
【００４０】
［使用方法］
次に、以上のように構成された電気基板収納用ケース１の使用方法を説明する。
【００４１】
図４を参照すると、ケース本体２は、設置場所にビス４３によって固定される。そして、上述のように、蓋体３が、嵌合構造８を利用してケース本体２に嵌合して固定される（取り付けられる）。ここで、電気基板収納用ケース１においては、先端が下方に垂下する防水壁部９が蓋体３の上部に設けられているので、蓋体３を前方からケース本体に嵌合させようとしても、防水壁部９の先端部がケース本体２の上部に当たって両者を嵌合させることができない。しかし、この嵌合構造８のおかげで、蓋体３をケース本体２に相対的に下方にスライドさせることによって蓋体３をケース本体に嵌合して固定することができる。また、蓋体をケース本体に嵌合させるためにビス（ネジ）を使用しないので外観面にビスが露出しない。その結果、デザイン性が向上する。
【００４２】
図４乃至図７を参照すると、この状態で雨水が蓋体３の防水壁部９及びケース本体２の上壁部１０の第２のステップ面１０ｅに降り注ぐと、第２の段差面１０ｄと防水壁部９との間から雨水が毛細管現象により電気基板収納用ケース１の内側に侵入する可能性がある。しかし、そのように雨水が侵入しても、侵入した雨水は、第１の段差面１０ｂと防水壁部９の間の排水流路５１に滲出し、排水流路５１の底面である第１のステップ面１０ｃの傾斜に従ってケース本体２の側方に流れ落ちる。そして、排水凹部６１を通って電気基板収納用ケース１の外部（第２のステップ面１０ｅ）に排出される。かくして、ケース本体２の内部への毛細管現象による雨水の侵入を防止することができる。
【００４３】
（その他の実施形態）
上記実施形態の嵌合構造８を省略してもよい。この場合、例えば、蓋体３をケース本体２にビス等の固定具によって固定する構造とし、ユーザが、防水壁部９が蓋体３の上部に係合するよう蓋体３を操作して、蓋体３をケース本体に嵌合し、その後、蓋体３をケース本体２に固定具によって固定してもよい。
【００４４】
また、上記実施形態の嵌合構造８を以下のように変形してもよい。例えば、ケース本体２の上壁部１０の上面及び蓋体３の防水壁部９を左端又は右端から他端に向けて傾斜させ、蓋体３をケース本体２に相対的に他端から左端又は右端に向けてスライドさせて、蓋体３をケース本体２に嵌合させるようにしてもよい。
【００４５】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【００４６】
本発明の電気基板収納用ケースは、ケース本体内部への毛細管現象による雨水の侵入を防止可能な電気基板収納用ケースとして有用である。
【符号の説明】
【００４７】
１  電気基板収納用ケース
２  ケース本体
３  蓋体
３ａ  本体部
３ｂ  側壁部
３ｃ  上壁部
４  ストッパ
５  係合部
６  挿入空間
７  操作部
８  嵌合構造
９  防水壁部
９ａ  延出壁部
９ｂ  垂下壁部
１０  上壁部
１０ａ  上端面
１０ｂ  第１の段差面
１０ｃ  第１のステップ面
１０ｄ  第２の段差面
１０ｅ  第２のステップ面
１１  第１の案内部
１２  第２の案内部
４１  電気基板
４２  ビス
４３  ビス
５１  排水流路
６０  凸部
６１  排水凹部
【図１Ａ】
2018110183.tif 000003
【図１Ｂ】
2018110183.tif 000004
【図１Ｃ】
2018110183.tif 000005
【図２Ａ】
2018110183.tif 000006
【図２Ｂ】
2018110183.tif 000007
【図３】
2018110183.tif 000008
【図４】
2018110183.tif 000009
【図５】
2018110183.tif 000010
【図６】
2018110183.tif 000011
【図７】
2018110183.tif 000012